(57)【特許請求の範囲】
【請求項１】
米ぬかと脱脂米ぬかを含有する動物用糞尿処理材。
【請求項２】
米ぬかと脱脂米ぬかと植物性接着剤を含有する動物用糞尿処理材。
【請求項３】
米ぬかと脱脂米ぬかと植物性接着剤と乾燥おからを含有する動物用糞尿処理材。
【請求項４】
米ぬかと脱脂米ぬかと植物性接着剤と乾燥おからと無機充填剤を含有する動物用糞尿処理材。
【請求項５】
米ぬかを25〜35％、脱脂米ぬかを33〜43％、植物性接着剤を8〜12％、乾燥おからを10〜14％、無機充填剤を8〜12％含有する請求項４に記載の動物用糞尿処理材。
【請求項６】
脱脂米ぬかを含有する動物用糞尿処理材。
【発明の詳細な説明】
【０００１】
【発明の属する技術分野】
本発明は犬、猫等のペットとして飼育する動物に供して好適な動物用糞尿処理材に関する。
【０００２】
【従来の技術】
従来、糞尿吸収後の焼却、生分解、水洗トイレでの水洗処理等の廃棄処理性の良い動物用糞尿処理材として、紙系、乾燥おから系のものが提案されている（特許文献１）。
【０００３】
【特許文献１】
特開2000-201556（［０００９］）
【０００４】
【発明が解決しようとする課題】
紙系の動物用糞尿処理材は、吸収した糞尿の消臭度が低い。
乾燥おから系の動物用糞尿処理材は、原料コストが高い上に、糞尿の消臭度に一層の改善が求められる。
【０００５】
従来の動物用糞尿処理材は、高い消臭度を求めて化学成分や植物成分から成る消臭剤・脱臭剤等を添加しているものの満足のいく消臭度はなく、消臭剤そのものも高価であり、少ない添加量では効果が望めず、また高い効果を求めて多量に添加すればいいというものでもなく、適当な消臭剤を見つけられずにいる。
【０００６】
本発明の課題は、吸収した糞尿の消臭度が高い動物用糞尿処理材を提供することにある。
【０００７】
本発明の他の課題は、低コストでありながら、廃棄処理性が良く、吸収した糞尿の消臭度が高い動物用糞尿処理材を提供することにある。
【０００８】
本発明の他の課題は、低コストでありながら、廃棄処理性が良く、吸収した糞尿の消臭度が高く、糞尿を吸収した後の塊状化度も高めて廃棄時の取出し性を向上した動物用糞尿処理材を提供することにある。
【０００９】
本発明の他の課題は、低コストでありながら、廃棄処理性が良く、吸収した糞尿の消臭度が高く、糞尿を吸収した後の塊状化度も高めて廃棄時の取出し性を向上し、更に水洗処理時の水中分解性を向上した動物用糞尿処理材を提供することにある。
【００１０】
本発明の他の課題は、低コストでありながら、廃棄処理性が良く、吸収した糞尿の消臭度が高く、糞尿を吸収した後の塊状化度も高めて廃棄時の取出し性を向上するとともに、水洗処理時の水中分解性を向上し、更に多孔質粒の粉化を防止した動物用糞尿処理材を提供することにある。
【００１１】
【課題を解決するための手段】
請求項１の発明は、米ぬかと脱脂米ぬかを含有する動物用糞尿処理材である。
請求項２の発明は、米ぬかと脱脂米ぬかと植物性接着剤を含有する動物用糞尿処理材である。
【００１２】
請求項３の発明は、米ぬかと脱脂米ぬかと植物性接着剤と乾燥おからを含有する動物用糞尿処理材である。
【００１３】
請求項４の発明は、米ぬかと脱脂米ぬかと植物性接着剤と乾燥おからと無機充填剤を含有する動物用糞尿処理材である。
【００１４】
請求項５の発明は、請求項４の発明において更に、米ぬかを25〜35％、脱脂米ぬかを33〜43％、植物性接着剤を8〜12％、乾燥おからを10〜14％、無機充填剤を8〜12％含有するようにしたものである。
請求項６の発明は、脱脂米ぬかを含有する動物用糞尿処理材である。
【００１５】
【発明の実施の形態】
（第１実施形態）
本発明の動物用糞尿処理材は、米ぬかと脱脂米ぬかを主成分とし、植物性接着剤と無機充填剤と乾燥おからを添加し、更に所望により着色剤、脱臭剤も添加した混合物を、多孔質粒に造粒したものである。
【００１６】
植物性接着剤としては、デンプン類、デンプンを含む農産物を使用できる。デンプン類としては、コーンスターチ、サツマイモデンプン、ジャガイモデンプン、タピオカデンプン等を用いることができる。デンプンを含む農産物としては、トウモロコシ、米、麦、小麦、根菜類等を使用することができる。
【００１７】
無機充填剤としては、炭酸カルシウム、ゼオライト、タルク等を用いることができる。
【００１８】
着色剤としては、食用色素を用いることができる。
脱臭剤としては、クエン酸等を用いることができる。
【００１９】
本発明の動物用糞尿処理剤は以下の如くに製造される。
(1)米ぬかと脱脂米ぬかに、植物性接着剤、無機充填剤、乾燥おから、脱臭剤を常温にてミキサーで攪拌し、更に着色剤の溶液を添加して攪拌する。
【００２０】
(2)上述(1)で得られる混合物を造粒機のダイスに圧入して加圧、造粒し、無数の孔（独立孔、連続孔等の隙間）を有する多孔質粒を成形する。
【００２１】
上述(1)の混合物の攪拌時には少量の水分を添加する。水分は着色剤の水溶液の形態で添加することができる。水分添加量は、仕入原料のバラツキ、季節的要因等により調整し、標準時には、米ぬかと脱脂米ぬかと植物性接着剤と無機充填剤と乾燥おからの合計重量100％に対し、好適には2〜4％、より好適には2.5〜3.5％、最適には3％とする。
【００２２】
上述(1)の混合物の攪拌時に添加する水分量の調整、上述(2)の造粒機のダイスの形状、加圧力の調整により、多孔質粒の孔の大きさ、孔の分布密度を調整できる。小加圧力で粒の尿吸収吸着量を多くし、大加圧力で粒の機械的強度を高めることができる。
【００２３】
本発明の動物用糞尿処理材は以下の作用を有する。
（請求項１に対応する作用）
▲１▼米ぬかは精米時の副産物であり、脱脂米ぬかは米油を絞った後の残渣であってともに原料コストが安価（米ぬかの方が脱脂米ぬかより安い）であり、これらを主成分とする動物用糞尿処理材のコストを低減できる。
【００２４】
▲２▼米ぬかと脱脂米ぬかは植物性であり、糞尿吸収後の焼却、生分解、水洗トイレでの水洗処理性等の廃棄処理性が良い。
【００２５】
▲３▼米ぬかは優れた消臭性を具備するものの、単独では吸水性が低く、非凝固性で、糞尿を吸収しにくいし、糞尿を吸収した後の塊状化度も低い。脱脂米ぬかは優れた消臭性を具備し、吸収性も高く、凝固性を有するものの、微粉末であって表面が滑らかであり、造粒したときに多孔質化し難く、独立孔又は連続孔を形成し難いために、それら孔内への糞尿の導入による速やかで多量な糞尿の吸収と孔の壁面への糞尿の吸着を期待できない。これに対し、米ぬかと脱脂米ぬかを混合して造粒したときには、それらが均質に分散し合った多孔質粒を形成して独立孔又は連続孔を形成し、それら孔内への糞尿の導入による速やかで多量な糞尿の吸収と孔の壁面への糞尿の吸着を促進し、両者の優れた消臭性により、糞尿に対する高い消臭度を呈する。
【００２６】
（請求項２に対応する作用）
▲４▼植物性接着剤の含有により、糞尿を吸収した多孔質粒の塊状化度を高める。植物性接着剤は多孔質粒の粒同士を接着して塊状化し、その塊状化部分だけを取出して廃棄すれば良く、廃棄時の取出性を向上する。
【００２７】
（請求項３に対応する作用）
▲５▼乾燥おからの含有により、糞尿を吸収して塊状化した多孔質粒の塊状物を水中でバラケさせる水中分解性を向上し、水洗トイレによる水洗処理性を向上する。
【００２８】
（請求項４に対応する作用）
▲６▼無機充填剤の含有により、多孔質粒の機械的強度を高め、造粒した粒が流通〜使用段階で崩壊して粉化することを防止し、粉化した動物用糞尿処理剤が猫等の足の裏に付着して散逸することを防止できる。
【００２９】
また、着色剤の添加により、動物用糞尿処理材の見た目の美観を向上できる。また、脱臭剤の添加により、米ぬかと脱脂米ぬかと乾燥おからの植物性繊維がもつかすかな特有の臭いを抑えることができる。尚、脱臭剤としてクエン酸を用いたときの添加量は、米ぬかと脱脂米ぬかと植物性接着剤と無機充填剤と乾燥おからの合計流量1kgに対し5gとする。
【００３０】
以下、本発明の動物用糞尿処理材を構成する各成分の配合比の最適化について検討した実験結果について説明する。
【００３１】
圧縮型造粒機（生産能力200kg／時間、ダイス径3.5mm）を用い、表１の本発明例の動物用糞尿処理材の各成分（米ぬかと脱脂米ぬかとコーンスターチと炭酸カルシウムと乾燥おから）、表２の比較例の紙系動物用糞尿処理材の各成分（パルプ繊維とコーンスターチと炭酸カルシウム）、表３の比較例のおから系動物用糞尿処理材の各成分（乾燥おからとコーンスターチと炭酸カルシウム）それぞれの合計重量5kgに、食用色素の青色１号1.5g、黄色４号1gとクエン酸25gを水150ccに溶かした水溶液を添加したものを試験片とし、各試験片について消臭度、塊状化度、水中分解性を評価した。評価は特優、優、良、可、不可の順に悪くなることを示す。
【００３２】
【表１】
0003692352.tif 000002
【００３３】
【表２】
0003692352.tif 000003
【００３４】
【表３】
0003692352.tif 000004
【００３５】
表１によれば、本発明の動物用糞尿処理材では、米ぬかと脱脂米ぬかの混合により消臭度が高くなること、両者の合計重量が多いほど消臭度が高くなること（本発明例2と3、本発明例8と9）が認められる。脱脂米ぬかに対し米ぬかが多く添加されるほど米ぬかの非凝固性の上に塊状化度が低くなること（本発明例2と3、本発明例8と9、本発明例4、本発明例10）、米ぬかに対し脱脂米ぬかが過多であれば多孔質粒化が不十分になって糞尿の吸水吸着が十分でなく塊状化度が低くなること（本発明例6、本発明例7、本発明例12）が認められる。
【００３６】
また、表１によれば、本発明の動物用糞尿処理材では、コーンスターチの添加量が過少になると塊状化度が低くなること（本発明例19）が認められる。
【００３７】
また、表１によれば、本発明の動物用糞尿処理材では、乾燥おからの添加量がなし又は過少で、水中分解性が悪くなること（本発明例4、本発明例7、本発明10、本発明例12、本発明例14、本発明例15、本発明例16）が認められる。
【００３８】
また、表１の本発明例21では、炭酸カルシウムの添加量が過少であるため、多孔質粒の粉化が認められた。
【００３９】
また、表１の本発明例20、22は、それぞれ、コーンスターチ、炭酸カルシウムの添加量が過多であり、原料コストが高くなる。また、表１の本発明例1〜3、5、6、8、9、11、13、23は乾燥おからの添加量が過多であり、原料コストが高くなる。
【００４０】
また、本発明の動物用糞尿処理材において、植物性接着剤としてコーンスターチに代るものを用い、無機充填剤として炭酸カルシウムに代るものを用いた場合にも、表１の本発明例におけると同様の結果を得た。
【００４１】
従って、本発明の動物用糞尿処理剤の好適配合比は、米ぬかと脱脂米ぬかとコーンスターチ等の植物性接着剤と炭酸カルシウム等の無機充填剤と乾燥おからの合計重量100％（食用色素と脱臭剤は除く）に対し、米ぬかについては、25〜35％、より好適には28〜32％、最適には30％、脱脂米ぬかについては、33〜43％、より好適には、36〜40％、最適には38％、植物性接着剤については、8〜12％、より好適には9〜11％、最適には10％、無機充填剤については、8〜12％、より好適には9〜11％、最適には10％、乾燥おからについては、10〜14％、より好適には11〜13％、最適には12％である。
【００４２】
表２の紙系動物用糞尿処理材の比較例A1では、糞尿の消臭度が低いことが認められる。
【００４３】
表３のおから系動物用糞尿処理材の比較例B1では、糞尿の消臭度はほぼ良好であるが、乾燥おからの添加量が多量であり、原料コストが高くなる。
【００４４】
次に、本発明の上述した最適混合比の動物用糞尿処理材の実験結果について詳細に説明する。
【００４５】
(A)米ぬか1.5kg（30％）、脱脂米ぬか1.9kg（38％）、コーンスターチ0.5kg（10％）、炭酸カルシウム0.5kg（10％）、乾燥おから0.6kg（12％）、クエン酸25gをミキサーで2分間混合攪拌し、この混合物に食用色素の青色１号1.5gと黄色４号1gを水150ccで溶かした水溶液を添加し、更に5分間混合攪拌した後、この混合物を造粒機のホッパーに投入し、200kg／時間の吐出速度で先端ダイスから吐出させ、直径3.5mm、長さ4〜7mmの黄緑色に着色された無定形片多孔質粒の動物用糞尿処理材を約5kg得た。これを80℃に設定された温風流動乾燥機内で製品として最も安定化する含水率7.5％の処理材に調整した。試験を繰り返して得た本発明の動物用糞尿処理材の含水率は、好適には6〜9％、より好適には7〜8％、最適には7.5％である。また、黄緑色に着色した動物用糞尿処理材を猫に試験使用した結果、無着色との使用状況に差異がなく、糞尿の吸収後も色素は安定し、色素の流出が起こらなかった。
【００４６】
(B)上述(A)で得た動物用糞尿処理材の消臭力を下記の要領で検査した。ガラス製三角フラスコ（容量約3.36L）に動物用糞尿処理材50gを投入し、アンモニア水（濃度0.01％）を20mL添加、密栓し、１時間放置した後、フラスコ内の空気中のアンモニア濃度を測定した。結果、アンモニア濃度は、動物用糞尿処理材非投入の場合の53.3ppmに対し、0.8ppmであり、アンモニア臭はほとんど確認できなかった。
【００４７】
(C)上述(A)で得た動物用糞尿処理材をペット用トイレ容器に深さ80mm程度敷き詰め、30℃に温めた希釈アンモニア水（濃度0.01％）20mLを注射器により滴下させた。30分経過後、アンモニア水は上面より50mm以内の深さでゴルフボールよりやや大きい塊状物に塊状化し、容易に取出し可能になった。
【００４８】
(D)上述(C)の塊状物を水洗トイレに流した結果、水中で容易にばらけて分解し、スムースに水洗処理できた。
【００４９】
以上、本発明の実施の形態を詳述したが、本発明の具体的な構成はこの実施の形態に限られるものではなく、本発明の要旨を逸脱しない範囲の変更等があっても本発明に含まれる。例えば、本発明の動物用糞尿処理材は、米ぬかと脱脂米ぬかを含有するもの、米ぬかと脱脂米ぬかと植物性接着剤を含有するもの、米ぬかと脱脂米ぬかと植物性接着剤と乾燥おからを含有するもの、米ぬかと脱脂米ぬかと植物性接着剤と乾燥おからと無機充填剤を含有するもののいずれでも良い。
【００５０】
（第２実施形態）
本発明者は、安価でなおかつ消臭効果が期待できる米ぬかを、動物用糞尿処理材に、あくまでも添加剤としてではなく、原料として使用できるか否かを研究してきた。しかし、米ぬかは、油分を含むため米ぬかを造粒しても、また他の鉱物・紙粉・木粉・おからと混合して造粒しても、水分をはじくため、尿吸収力を阻害してしまい動物用糞尿処理材の原料としてそのままでは使用できなかった。
【００５１】
本発明者は、米ぬかから米油を搾油する油脂工場の副産物である、脱脂米ぬかに着目した。搾油後の副産物である脱脂米ぬかは、油脂分を取り除いてあるため、米ぬかでは得られなかった尿を吸収する性能があり、動物用糞尿処理材の原料として十分使用に値する材料であり、強力な消臭力を有することを発見した。即ち、本発明は、初めて最適な消臭材としての脱脂米ぬかを動物用糞尿処理材の原料として配合し、画期的に消臭度を高めた動物用糞尿処理材を製造するものである。
【００５２】
本発明の動物用糞尿処理材は、脱脂米ぬかを主成分とする。本発明の動物用糞尿処理材は、脱脂米ぬか単独から成るものの他、脱脂米ぬかに木粉、紙粉、鉱物又はおから等を添加し、更に所望により高分子吸収体、着色剤、脱臭剤も添加した混合物を、多孔質粒に造粒して使用に供することができる。
【００５３】
本発明の動物用糞尿処理剤は以下の如くに製造される。
(1)脱脂米ぬかに、所望の木粉、紙粉、鉱物又はおから、更に所望の高分子吸収体、脱臭剤を添加し、常温にてミキサーで攪拌し、更に着色剤の溶液を添加して攪拌する。
【００５４】
(2)上述(1)で得られる混合物を造粒機のダイスに圧入して加圧、造粒し、無数の孔（独立孔、連続孔等の隙間）を有する多孔質粒を成形する。
【００５５】
上述(1)の混合物の攪拌時には少量の水分を添加する。水分は着色剤の水溶液の形態で添加することができる。
【００５６】
上述(1)の混合物の攪拌時に添加する水分量の調整、上述(2)の造粒機のダイスの形状、加圧力の調整により、多孔質粒の孔の大きさ、孔の分布密度を調整できる。小加圧力で粒の尿吸収吸着量を多くし、大加圧力で粒の機械的強度を高めることができる。
【００５７】
本発明の動物用糞尿処理材は以下の作用を有する。
（請求項６に対応する作用）
▲１▼脱脂米ぬかは米油を絞った後の残渣であって原料コストが安価であり、これらを主成分とする動物用糞尿処理材のコストを低減できる。
【００５８】
▲２▼脱脂米ぬかは植物性であり、糞尿吸収後の焼却、生分解、水洗トイレでの水洗処理性等の廃棄処理性が良い。
▲３▼脱脂米ぬかは強力な消臭性により、糞尿に対する高い消臭度を呈する。
【００５９】
以下、本発明の脱脂米ぬかを含有する動物用糞尿処理剤の消臭力の検証結果について説明する（表４〜表８）。
【００６０】
【表４】
0003692352.tif 000005
【００６１】
【表５】
0003692352.tif 000006
【００６２】
【表６】
0003692352.tif 000007
【００６３】
【表７】
0003692352.tif 000008
【００６４】
【表８】
0003692352.tif 000009
【００６５】
(A)表４〜表８の動物用糞尿処理剤の各成分（木粉と脱脂米ぬかと高分子吸収体、紙粉と脱脂米ぬかと高分子吸収体、ベントナイトと脱脂米ぬか、乾燥おからと脱脂米ぬかとコーンスターチ、脱脂米ぬかとコーンスターチ）の原料合計2kgを3分間ミキサーで攪拌した後、その混合物を定量供給機から、50kg/時間の圧縮型造粒機に投入しダイス径から押し出し、長さ4mm〜7mmにカットし乾燥機にかけ水分7.5％の円柱ペレット状の多孔質粒の動物用糞尿処理材を得た。
【００６６】
(B)上述(A)で得た動物用糞尿処理材の消臭度を下記の要領で測定した。ガラス製三角フラスコ（容量3.36L）に動物用糞尿処理材50gを投入し、アンモニア水（0.01%）を20ml添加、密栓し、1時間放置した後、フラスコ内のアンモニア濃度を測定した。
【００６７】
表４の例１の場合、木粉90％・高分子吸収体（接着剤）10％・脱脂米ぬか０で、アンモニア濃度15.2ppm、表４の例５の場合、木粉50％・高分子吸収体（接着剤）10％・脱脂米ぬか40%の配合で、アンモニア濃度1.8ppmまで下がり、驚くべき消臭力があることを確認できた。
【００６８】
以下、表４〜表７の例１〜２０のアンモニア濃度の数値が示すとおり、脱脂米ぬかの含有により消臭力が例外なく増すことが、検証できた。
【００６９】
表８の例２１の脱脂米ぬか90%とコーンスターチ10%の場合は、造粒されたペレットがかたくて表面に光沢を帯びてしまい、ペレット内に臭気を取り込めないため、消臭度が下がらないものと思われる。
【００７０】
脱脂米ぬかを動物用糞尿処理材の原料として使用するためには、単独でなく他の原料と配合し多孔質の粒状に仕上げることが望ましい。
【００７１】
【発明の効果】
以上のように本発明によれば、吸収した糞尿の消臭度が高い動物用糞尿処理材を得ることができる。
【００７２】
また、本発明によれば、低コストでありながら、廃棄処理性が良く、吸収した糞尿の消臭度が高い動物用糞尿処理材を得ることができる。
【００７３】
また、本発明によれば、低コストでありながら、廃棄処理性が良く、吸収した糞尿の消臭度が高く、糞尿を吸収した後の塊状化度も高めて廃棄時の取出し性を向上した動物用糞尿処理材を得ることができる。
【００７４】
また、本発明によれば、低コストでありながら、廃棄処理性が良く、吸収した糞尿の消臭度が高く、糞尿を吸収した後の塊状化度も高めて廃棄時の取出し性を向上し、更に水洗処理時の水中分解性を向上した動物用糞尿処理材を得ることができる。
【００７５】
また、本発明によれば、低コストでありながら、廃棄処理性が良く、吸収した糞尿の消臭度が高く、糞尿を吸収した後の塊状化度も高めて廃棄時の取出し性を向上するとともに、水洗処理時の水中分解性を向上し、更に多孔質粒の粉化を防止した動物用糞尿処理材を得ることができる。